(57)【特許請求の範囲】
【請求項１】
枠体に障子を納めてなる窓サッシに設けられる窓サッシ用スクリーン装置であって、
広幅のスクリーン部と、該スクリーン部の両側に設けられる縦長筒状の収納ケースと、該収納ケースの各々に設けられ前記スクリーン部を各収納ケース内に引出し自在に付勢巻取りする巻取り部とを備え、
前記枠体は屋外側又は屋内側の端部から見込方向に突出する増縁を備え、該増縁には上下枠にそれぞれ走行部が設けられ、
前記各収納ケースは前記障子の縦框より細幅に形成され、上下端面が前記各走行部に対して見付方向に摺動自在に連係されて前記増縁内に納められると共に、前記増縁の見付方向における任意位置で前記枠体又は前記障子に固定自在とされ、
前記スクリーン部は前記各収納ケースの摺動に伴って該各収納ケースに設けた開口部から該各収納ケース外へ引出し自在とされたことを特徴とする窓サッシ用スクリーン装置。
【請求項２】
前記収納ケースの上下端面には前記走行部に連係される溝部を形成すると共に、上端面には前記増縁の上枠に弾性的に当接する規制部を形成してなることを特徴とする請求項１記載の窓サッシ用スクリーン装置。
【請求項３】
前記窓サッシは、複数の前記枠体を方立を介して所定角度で隣接配置してなる出窓として構成され、
前記収納ケースは、互いに異なる前記枠体に対して見込方向重合位置に配置され、
前記方立の見込方向重合位置には、該方立の左右両方向へ前記網部を移動自在とする案内軸を設け、該案内軸を介して前記網部を前記収納ケースに収納自在としたことを特徴とする請求項１又は２に記載の窓サッシ用スクリーン装置。
【請求項４】
前記収納ケースの各々は、前記スクリーン部を半分のみ収納自在な径に形成されることを特徴とする請求項１〜３のいずれか１項に記載の窓サッシ用スクリーン装置。
【発明の詳細な説明】
【０００１】
【発明の属する技術分野】
本発明は、枠体に障子を納めてなる窓サッシに設けられる窓サッシ用スクリーン装置に関する。
【０００２】
【従来の技術】
引違い窓、片引き窓、滑出し窓等の各種サッシ窓には、その障子を開いた際に窓枠内に生じる枠内開口を塞ぐため、網戸装置等のスクリーン装置が設けられることが多い。特に近年、網部等のスクリーンを収納ケース内にロール状に巻取り収納したスクリーン装置が提案されている。このようなスクリーン装置においては、非使用時にはスクリーンを収納ケース内に収納して非露出状とすることができるため、外観性やスクリーンの保管性に優れていることから広く普及することが期待されている。
【０００３】
このような従来の窓サッシ用のスクリーン装置は、収納ケースと、該収納ケース内に引出し自在に巻取られたスクリーン部とから構成されていた。ここで収納ケースは、サッシ窓の枠体を構成する左右の縦枠のいずれか一方を見付方向側方に拡張することにより、縦枠に一体に設けられていた。
そして使用時においては、障子を開けた状態において、収納ケースからスクリーン部を引出し、その端部を反対側の縦枠等に固定することにより、枠内開口をスクリーン部にて閉じていた。
【０００４】
【発明が解決しようとする課題】
しかしながら従来のこのような窓サッシ用のスクリーン装置においては、枠体の縦枠に収納ケースを一体に設けていたので、枠体の構造が複雑で、コストの高いものになっていた。またこのように特殊な縦枠を必要としていたので、新設以外の取付すなわち既存の窓サッシに取付けることが困難であった。
また左右のいずれか片方にのみ設けた収納ケースにスクリーン部全部を収納していたので、収納ケースが太径となっていた。したがって収納ケースが見付方向側方に突出し、縦枠のみならず収納ケース自体も屋内側から見えることになり、枠体が増えたような外観を形成して、視野を狭めると共に意匠上の体裁が悪かった。
【０００５】
本発明は、従来のこのような従来の窓サッシ用スクリーン装置における問題点に鑑みてなされたもので、枠体の構造の変更を必要とせずに既設の窓サッシにも取付け可能であり、また収納ケースを極力細径化することによって視野を狭めることなく意匠上の体裁を一層向上させた、窓サッシ用スクリーン装置を提供することを目的とする。
【０００６】
【課題を解決するための手段】
このような従来の窓サッシ用スクリーン装置における問題点を解決するために請求項１に記載の本発明は、枠体に障子を納めてなる窓サッシに設けられる窓サッシ用スクリーン装置であって、広幅のスクリーン部と、該スクリーン部の両側に設けられる縦長筒状の収納ケースと、該収納ケースの各々に設けられ前記スクリーン部を各収納ケース内に引出し自在に付勢巻取りする巻取り部とを備え、前記枠体は屋外側又は屋内側の端部から見込方向に突出する増縁を備え、該増縁には上下枠にそれぞれ走行部が設けられ、前記各収納ケースは前記障子の縦框より細幅に形成され、上下端面が前記各走行部に対して見付方向に摺動自在に連係されて前記増縁内に納められると共に、前記増縁の見付方向における任意位置で前記枠体又は前記障子に固定自在とされ、前記スクリーン部は前記各収納ケースの摺動に伴って該各収納ケースに設けた開口部から該各収納ケース外へ引出し自在とされたことを特徴として構成されている。
【０００７】
また請求項２に記載の本発明は、前記収納ケースの上下端面には前記走行部に連係される溝部を形成すると共に、上端面には前記増縁の上枠に弾性的に当接する規制部を形成してなることを特徴として構成されている。
【０００８】
また請求項３に記載の本発明は、前記窓サッシは、複数の前記枠体を方立を介して所定角度で隣接配置してなる出窓として構成され、前記収納ケースは、互いに異なる前記枠体に対して見込方向重合位置に配置され、前記方立の見込方向重合位置には、該方立の左右両方向へ前記網部を移動自在とする案内軸を設け、該案内軸を介して前記網部を前記収納ケースに収納自在としたことを特徴として構成されている。
【０００９】
また請求項４に記載の本発明は、前記収納ケースの各々は、前記スクリーン部を半分のみ収納自在な径に形成されることを特徴として構成されている。
【００１１】
【発明の実施の形態】
以下、本発明の第１実施形態について図面を参照して詳細に説明する。図１は本実施形態における引違い窓の縦断面図であり図３のＢ−Ｂ矢視断面図、図２は引違い窓の両方の障子を閉じた状態における横断面図、図３は引違い窓の一方の障子を開いた状態における横断面図であり図１のＡ−Ａ矢視断面図、図４は図２の引違い窓の正面図、図５は図３の引違い窓の正面図である。
これら各図において本実施形態における引違い窓は、建屋開口に取付けられるものであって、上下枠１１、１２及び左右の縦枠１３、１４から方形に枠組されてなる枠体１内に、一対の障子２、３を左右引違い状に開閉自在に組み込んで構成されている。障子２は上下框２１、２２と左右の縦框２３、２４とを枠組してなる框体内にガラス板２５を嵌込んで、障子３は上下框３１、３２と左右の縦框３３、３４とを枠組してなる框体内にガラス板３５を嵌込んで構成されている（枠体１及び障子２、３は破線にて示す）。これら障子２、３はその上下の溝内に枠体１の上下枠１１、１２に形成された走行レールを建て込んだ状態において、該走行レール上を摺動自在とされている。なお、これら各枠及び各框はアルミの押し出し型材にて成型されている。なお枠体１は方形以外の任意形状に枠組されてよい。
【００１２】
ここで図１〜３に示すように、この枠体１の屋内側には、該枠体１とほぼ同じ高さ及び幅の増縁６が形成されている。この増縁６は上下枠６ａ、６ｂと左右の縦枠６ｃ、６ｄから構成されており、その上下枠６ａ、６ｂにはその長手方向に沿ってかつその全長に渡って走行部たるレール１５、１６が設けられている。なお増縁６は枠体１に一体に形成してもよく、走行部を配置することができるものであれば必ずしも増縁として構成されなくともよい。
そしてこの増縁６内に、窓サッシ用スクリーン装置（以下、窓サッシ用網戸４）が設けられている。図６（ａ）〜（c ）は順に、窓サッシ用網戸４の平面図、正面図、左側面図（なお屋内側から屋外側を見た状態を正面とし、また左右は同状態における左右方向に対応する）、図７は窓サッシ用網戸の要部の分解図である。
【００１３】
図６、７に示すように、窓サッシ用網戸４は、広幅のスクリーン部たる網部７０と、該網部７０の左右の両側に配置される縦長筒状の収納ケース４０Ａ、４０Ｂと、収納ケース４０Ａ、４０Ｂそれぞれの上端部に配置される上キャップ５０及び下端部に配置される下キャップ６０と、収納ケース４０Ａ、４０Ｂそれぞれの内部に配置されるもので網部７０を該収納ケース４０Ａ、４０Ｂの内部に巻取り収納する巻取り部８０を備えて構成されている。
そして概略的には、一対の収納ケース４０Ａ、４０Ｂが増縁６内に納められ、該増縁６内を水平走行する。そして図４、５に示すように、一対の収納ケース４０Ａ、４０Ｂを相互に隔てて配置することによってその内部に収納された網部７０が引出され、該網部７０によって枠内開口が閉じられる。
【００１４】
以下、窓サッシ用網戸４を構成する上記各部について詳細に説明し、その後、窓サッシ用網戸４の取付方法並びに操作方法等について具体的に説明する。
まず一対の収納ケース４０Ａ、４０Ｂについて説明する。一対の収納ケース４０Ａ、４０Ｂは互いに左右対称に形成されており、増縁６内において見付方向に並設されている（以下、必要に応じて、一対の収納ケース４０Ａ、４０Ｂを収納ケース４０と総称する）。収納ケース４０は、増縁６の高さにほぼ対応する縦長で、かつ障子２、３の各縦框２３、２４、３３、３４よりも若干細幅の中空筒状に形成されている。なお収納ケースは円筒状以外の形状、例えば方形筒状でもよく、その内部に網部を収納できればよい。
【００１５】
そして図２に示すように、障子２、３を閉じると共に網部７０を完全に引出した状態において、一方の収納ケース４０Ａは縦枠６ｃに対し見付方向側方位置かつ障子３の縦框３３に対し見込方向重合位置、他方の収納ケース４０Ｂは縦枠６ｄに対し見付方向側方位置かつ障子２の縦框２４に対し見込方向重合位置、にそれぞれ配置される。
また図３に示すように障子２のみを開いた状態において、枠内開口のみを閉じるためには、一方の収納ケース４０Ａのみを障子２の縦框２４に対し見込方向重合位置に配置することができる。
【００１６】
さらに図示は省略するが、障子３のみを開いた状態において、枠内開口のみを閉じるためには、一方の収納ケース４０Ａを縦枠６ｃに対し見付方向側方位置、他方の収納ケース４０Ｂを障子２の縦框２３に対し見込方向重合位置、にそれぞれ配置することができる。
上記のことから、収納ケース４０は、縦枠６ｃ、６ｄのいずれかの側方又は縦框２３、２４に対する見込方向重合位置に配置することができるので、目立たせることなく配置できて意匠性が向上し、また収納ケース４０と縦枠６ｃ、６ｄ又は縦框２３、２４との隙間を塞いで防虫性を高めることが容易である。なお網部７０を完全に閉じたい場合には、両収納ケース４０Ａ、４０Ｂを互いに隣接させた状態で、縦枠６ｃ、６ｄいずれか一方の側方位置に配置すればよい。
【００１７】
図１０は収納ケース４０Ａを中心とした図３の要部拡大図である。この図１０に示すように収納ケース４０Ａは、障子２側に位置する分割部材たる第１分割部４１と、非障子側に位置する分割部材たる第２分割部４２とが、その係止片４３、４４相互の係止によって一体化されている。また第１分割部４１と第２分割部４２との間には開口部４５が形成されており、この開口部４５から網部７０が収納ケース４０Ａ外に引出可能とされている。また第２分割部４２には、その上下のほぼ中央位置に平面略コ字状の取手４６が設けられている。さらに図１０に示すように、第１分割部４１には必要に応じてその長手方向全長に渡りシール材４１ｃを設けることができ、このシール材４１ｃが縦框２３、２４の側面等に当接して、虫の入り込みが一層確実に防止される。
なお、第１分割部４１と第２分割部４２は枠体１や障子２と同様にアルミの押し出し型材にて成型されており、枠体１や障子３と同様の質感及び色合いを呈している。
【００１８】
ここで各収納ケース４０Ａ、４０Ｂは、網部７０を半分の幅のみ収納自在な径に形成されている。すなわち網部７０の全幅をＷ’とすると、収納ケース４０Ａ、４０Ｂはそれぞれ網部７０をその半分の幅１／２Ｗ’だけ収納可能な径に形成されている。したがって網部７０を図３に示すように半分の幅１／２Ｗ’だけ引き出す場合には、残りの１／２Ｗ’の幅の網部７０は収納ケース４０Ａ、４０Ｂの一方にのみ収納してもよく、また両者に１／４Ｗ’ずつ均等に収納してもよい。一方、網部７０を完全に収納したい場合には、収納ケース４０Ａ、４０Ｂそれぞれに１／２Ｗ’の幅の網部７０を収納する。
【００１９】
このように各収納ケース４０Ａ、４０Ｂを、網部７０を半分の幅のみ収納自在な径に形成することにより、左右の収納ケース４０Ａ、４０Ｂを互いに同じ径に形成できて意匠上の均衡を図ることができると共に、各収納ケース４０Ａ、４０Ｂを最も細径に形成できて広い視野を確保することができる。
ただし必ずしも網部７０を半分のみ収納自在な径に形成されなくともよく、少なくとも収納ケース４０Ａ、４０Ｂの両方で網部７０を完全に収納できればよい。この場合においても、１つの収納ケースにて網部７０を収納する場合に比べ、同じ幅の網部であれば収納ケースの径を細幅に大幅に減らすことができ、あるいは同じ径の収納ケースであれば図２、３に示すような広幅の網部を収納することができる。
【００２０】
次に各収納ケース４０Ａ、４０Ｂに配置された短筒状の上キャップ５０及び下キャップ６０について説明する。これら上キャップ５０及び下キャップ６０は収納ケース４０Ａ、４０Ｂより若干太径に形成され、その内部に収納ケース４０Ａ、４０Ｂの上下端部を挿入することによって該収納ケース４０Ａ、４０Ｂに固定される。したがって収納ケース４０Ａ、４０Ｂの上下端部が非露出状とされ、その内部に埃や雨水等が侵入することを防止でき、網部７０を保護することができる。また収納ケース４０Ａ、４０Ｂを枠体１から取り外した際の意匠上の外観を向上させることができる。なお上キャップ５０及び下キャップ６０の形状は任意に変更可能であり、少なくとも収納ケース４０の端部を塞ぐことができるものであればよい。あるいは塞ぐ必要がない場合には、上キャップ５０及び下キャップ６０を省略してもよい。
ここで、上キャップ５０には上方に開放するレール溝５３、下キャップ６０には下方に開放するレール溝６３がそれぞれ形成されており、これらレール溝５３、６３内に増縁６のレール１５、１６を連係させることによって、収納ケース４０Ａ、４０Ｂがレール１５、１６に摺動自在かつ脱落不能に連係される。
【００２１】
また上キャップ５０には、図１、８に示すように、増縁６の上枠６ａに弾性的に当接することによって収納ケース４０の上下振れを規制すると共に、上枠６ａと収納ケース４０との間に介在することによって該収納ケース４０の増縁６からの脱落を規制する規制部５４が設けられている。この規制部５４は、上枠６ａに沿って輪転可能に配置されたローラ５５と、該ローラ５５を回転自在に支持する支持部材５６と、該支持部材５６を上枠６ａ側に付勢する図示しない付勢部材とから構成されている。そして付勢部材の付勢力によって支持部材５６を介してローラ５５が上枠６ａの下面に常時当接され、増縁６が変形等した場合においても収納ケース４０が不用意に上下に振れることを防止している。また収納ケース４０が付勢部材の付勢力を越えて上枠６ａ側に動かされると、支持部材５６及びローラ５５が収納ケース４０と上枠６ａとの間に挟持されそれ以上の収納ケース４０の移動が防止され、収納ケース４０が増縁６から外方へ脱落することが防止されている。なお規制部５４は見込方向及び見付方向における他の任意箇所に設けてもよく、あるいは省略してもよい。
【００２２】
また下キャップ６０には、図１、９に示すように、収納ケース４０を走行させるための戸車６４が設けられている。この戸車６４は増縁６の下枠６ｂに沿って輪転可能に配置されるもので、下枠６ｂの上面に常時当接され、収納ケース４０の安定的な摺動が確保されている。なお戸車６４は見込方向及び見付方向における他の任意箇所に設けてもよく、あるいは省略してもよい。ただし本実施形態のように規制部５４を設ける場合には、見込方向及び見付方向に関して規制部５４と対応する位置に設けることが望ましい。また戸車６４を省略する一方、下キャップ６０の下面に摩擦係数の低い低摩擦材からなる滑り部を配設することによって、収納ケース４０を安定摺動させてもよい。
【００２３】
ここで図８、９に示すように、上キャップ５０にはストッパー５７、下キャップ６０にはストッパー６７がそれぞれ設けられている。そしてストッパー５７は上キャップ５０の上面から上方に突出自在とされており、増縁６の上枠６ａの下面に当接自在とされている。またストッパー６７は下キャップ６０の下面から下方に突出自在とされており、増縁６の下枠６ｂの上面に当接自在とされている。そしてこのようにストッパー５７、６７を増縁６に当接させることによって、収納ケース４０Ａ、４０Ｂを増縁６内における見付方向の任意の位置に固定することができる。なおストッパー５７、６７の操作は、上キャップ５０、下キャップ６０の屋内側の側面に設けられた操作レバー５８、６８を介して行われる。これらストッパー５７、６７の内部構造は両開き戸の縦框等に設けられる周知のストッパーの構造と同じであるため、その説明は省略する。
なお本実施形態のストッパー５７、６７以外にも、収納ケース４０Ａ、４０Ｂの障子２、３側の側面に係止突起を設けると共に、障子２、３の収納ケース４０Ａ、４０Ｂ側の側面にも係止突起を設け、これら両係止突起を相互に係止させることによって収納ケース４０Ａ、４０Ｂを固定してもよい。
【００２４】
次に網部７０について説明する。この網部７０は、図４に示すように、増縁６内に形成される枠内開口を完全に塞ぐことができるよう、該増縁６の内側寸法としての高さＨ及び幅Ｗよりも上下左右に若干広く形成されている。この網部７０はポリエステルや、巻取り可能な金材にて構成されてよい。また「網」状のものでなく、より目の細かい布、障子紙などによって形成されてよく、その機能としては通風性に代えて遮光性を備えるものでもよく、また任意の模様や色彩を付加してもよい。すなわちシート状の部材としてのスクリーンであればよい。そして本装置は網戸としてでなく、通風、遮光等の種々の目的に合わせて、カーテン、目隠し、障子戸、あるいは間仕切り等として機能させることができる。
【００２５】
この網部７０はその上下端部を、増縁に設けたファスナー部１８に密着自在とされている。このファスナー部１８は、図１〜３に示すように、増縁６のレール１５、１６の網部７０側の側面の全長に渡って形成されているもので、網部７０側に向けて突出する針状の突起が一定間隔で連続して設けられている。ここで網部７０は、後述するように網部７０を巻取る支持軸７２が収納ケース４０の開口部４５側に付勢され、さらに図３に示すようにこの開口部４５はレール１５、１６の近傍に形成されている。したがって開口部４５から引出された網部７０はレール１５、１６に沿うように自動的に配置され、その網目にファスナー部１８の突起が係止する。
【００２６】
また網部７０は後述する巻取り部８０によって巻取り方向（収納ケース側に向かう方向）に付勢されていることから、該網部７０には常時張力が加えられ、該網部７０とファスナー部１８の突起との係止状態が安定的に維持される。
このように網部７０の上下端部がファスナー部１８に密着することから、網部７０とレール１５、１６との間に隙間ができることが防止され、風によって網部７０が見込方向に不用意に浮き上がることや、隙間からの虫の侵入等を防止することができる。なおファスナー部１８は嵌合溝への止着、接着やネジ止めにてレール１５、１６に取付けることができる。またファスナー取付けレールを増設してファスナー部１８を取付けることも可能である。また当然のことながら網部７０を網以外の布材にて構成した場合にはファスナー部１８は不要であるが、スクリーン部の上下端部のみを網状としてファスナー部１８に係止させてもよい。
なお網部７０には、図７に示すように、その収納ケース４０側の端部に中空の支持軸７２が固定されている。
【００２７】
次に巻取り部８０について説明する。この巻取り部８０の拡大図を図１１（ａ）、分解図を図１１（ｂ）にそれぞれ示す。この図１１に示すように巻取り部８０は、縦長の付勢部材たる巻きバネ８１と、該巻きバネ８１の心棒８２と、巻きバネ８１を網部７０の支持軸７２に固定する軸側固定具８３と、巻きバネ８１を収納ケース４０Ａ、４０Ｂに固定するケース側固定具８４と、巻きバネ８１の回転をガイドするガイド部材８５とを備えて構成されている。
巻きバネ８１は網部７０の支持軸７２内に挿入可能な径及び長さに形成されており、その内部に心棒８２を挿通されることによって不用意に屈曲することが防止されている。
【００２８】
この巻きバネ８１の下端部には軸側固定具８３が固定される。すなわち軸側固定具８３は本体部８３ａと該本体部８３ａの上端部に突設されたネジ溝を有する短尺軸８３ｂとから構成され、この短尺軸８３ｂを巻きバネ８１内に挿入することによってそのネジ溝に巻きバネ８１が係止して回転不能に固定される。また図７に示すように、軸側固定具８３を支持軸７２に挿入することによって該軸側固定具８３が支持軸７２内において回転不能に固定される。すなわち図１２の支持軸７２の横断面図に示すように、支持軸７２の内周には複数の溝７２ａが形成されており、一方、軸側固定具８３の側面には支持軸７２の溝７２ａに対応した複数の突起８３ｃが形成され、この突起８３ｃが溝７２ａ内に納められることによって、軸側固定具８３が回転不能とされる。したがって巻きバネ８１は、軸側固定具８３を介してその下端部を支持軸７２に対して回転不能に固定される。
【００２９】
一方、巻きバネ８１の上端部にはケース側固定具８４が固定される。このケース側固定具８４は本体部８４ａとネジ溝を有する短尺軸８４ｂとから構成され、この短尺軸８４ｂを巻きバネ８１内に挿入することによって巻きバネ８１が回転不能に固定される。図１３には巻取り部８０を収納した収納ケース４０の平面図を示す。この図１３に示すように、このケース側固定具８４の本体部８４ａは収納ケース４０の内径にほぼ適合した外形とされており、巻取り部８０を収納ケース内４０に納めた状態において、本体部８４ａが収納ケース４０内に係止して該収納ケース４０に対して回転不能に固定される。したがって巻きバネ８１は、ケース側固定具８４を介してその上端部を収納ケース４０に回転不能に固定される。なおガイド部材８５はその内部にケース側固定具８４の短尺軸８４ｂを挿通させると共にケース側固定具８４の本体部８４ａと巻きバネ８１との間に介在して、巻きバネ８１の回転をガイドする。
【００３０】
これらのことから巻きバネ８１はその下端部においては支持軸７２、上端部においては予め巻取り方向に適量付勢した状態で収納ケース４０にそれぞれ固定されるが、収納ケース４０から網部７０を引出すことに伴って巻きバネ８１にさらに捻れが生じ、網部７０を収納ケース４０内に巻取る方向に付勢力が増す。なおこの付勢力の強さは、収納ケース４０を増縁６に固定した状態において該収納ケース４０を不用意に移動させることがなく、かつ固定を解除した状態において網部７０を自動的に巻取ることができるような強さに定められる。
【００３１】
ここで図１３に示すように、ケース側固定具８４の本体部８４ａには、収納ケース４０の平面ほぼ中心位置から開口部４５に向かう長孔８４ｃが形成されており、この長孔にはケース側固定具８４の短尺軸８４ｂの上端部と、押圧バネ８４ｄとが設けられている。そして短尺軸８４ｂの上端部は長孔８４ｃ内において該長孔８４ｃに沿って移動自在とされると共に、押圧バネ８４ｄにて開口部４５側に向けて常時付勢され、また回転不能とされている。したがってケース側固定具８４、巻きバネ８１、支持軸７２を順次介して網部７０が収納ケース４０の開口４５側に常時付勢さ部れるので、網部７０を開口部４５側、すなわち増縁６のレール１５、１６側に沿って引出すことができる。
【００３２】
次に本サッシ窓用網戸４の取付方法について説明する。まず収納ケース４０Ａ、４０Ｂ内に網部７０及び巻取り部８０を収納し、上キャップ５０及び下キャップ６０を取付けて本網戸４を組立てる。そして枠体１に増縁６を取付け、予め又は網戸４を取付ける前に増縁６のレール１５、１６にファスナー部１８を取付ける。そして組立ての終了した本網戸４を見付方向に傾けた状態で増縁６内に挿入し、垂直に立直すことによって増縁６内に建込むだけで取付けが終了する。このような方法により、障子２、３を外すことなく容易に取付けることができる。
なお図１に示すように網戸４の高さを調節する場合には、収納ケース４０Ａ、４０Ｂ及び網部７０の上下いずれかの端部を任意の長さだけ切断することにより対応可能である。
また網戸４を長期間使用しない場合には、上記と逆の手順によって本網戸４を枠体１から容易に取外し、倉庫等に収納することができる。
あるいは新設の窓サッシに取付ける場合には、本網戸４を組み立てることと平行して、増縁６をコ字状に枠組し、その開放側から本網戸４を増縁６内に収納した後、増縁６を方形に枠組してもよい。
【００３３】
次に本網戸４の操作方法について説明する。まず図２に示すように両障子２、３を閉めた状態においては、収納ケース４０Ａは縦框３３に対し見込方向重合位置、他方の収納ケース４０Ｂは縦框２４に対し見込方向重合位置にそれぞれ配置されており、また収納ケース４０は上述のように縦框３３、２４より細幅に形成されており、また縦框３３、２４と同材質よりなるため、図４のように屋内側から見た場合や、また屋外側から見た場合にも同様に、収納ケース４０Ａ、４０Ｂが縦框３３、２４と外観上一体となって目立たず、意匠的にも良好である。
【００３４】
このような状態において網戸４を使用する場合、まず障子２、３のいずれか一方を任意の場所まで開く。図３においては障子２を全開した状態を示す。そして収納ケース４０Ａを、ストッパー５７、６７を解除した状態で、その取手４６を介して、障子２の縦框２４の見込方向に重合する位置にまで水平走行させる。この収納ケース４０Ａの走行に伴って余分な網部７０はファスナー部１８から外れ納ケース４０Ａと縦框２４の重合位置において、ストッパー５７、６７を機能させ、収納ケース４０Ａを増縁６に固定する。この状態において、本実施形態においては障子の移動に伴って網部７０側でなく収納ケース４０Ａを摺動させていることから、図５に示すように、収納ケース４０Ａは縦框２４に対して見込方向に重合する位置に配置され、意匠的な良好性を維持することができる。
【００３５】
次に本発明の第２実施形態について説明する。但し特に説明なき構成は第１実施形態の構成と同じであり、また同じ構成を同符号にて示す。図１４は本実施形態における引違い窓の両方の障子を閉じた状態における横断面図である。この図１４において引違い窓は第１実施形態の構成とほぼ同じ構成をなし、枠体１の屋内側に設けた増縁６内に網戸４Ａが配置されている点も同様であるが、網部７０Ａは第１実施形態のほぼ半分の幅にて形成されている。またこれに対応して、一対の収納ケース４０Ｃ、４０Ｄも第１実施形態のほぼ半分の径にて形成され、網部７０Ａをそれぞれ半分のみ収納可能とされている。
【００３６】
そして障子２のみを完全に開いた状態においては、収納ケース４０Ｃを障子２の縦框２４対し見込方向重合位置に配置し、収納ケース４０Ｄを縦枠６ｄに対し見付方向側方位置に配置することにより、枠内開口を網部７０Ａにて閉じることができる。
一方、障子３のみを完全に開いた状態においては、収納ケース４０Ｃを縦枠６ｃに対し見付方向側方位置に配置し、収納ケース４０Ｄを障子２の縦框２３に対し見込方向重合位置に配置することにより、枠内開口を網部７０Ａにて閉じることができる。
このように本実施形態においては、第１実施形態に比べてほぼ半分の径の収納ケース４０Ｃ、４０Ｄが配置されるので、収納ケースが外観上一層目立たず、意匠性が向上する。
【００３７】
次に本発明の第３実施形態について説明する。但し特に説明なき構成は第１実施形態の構成と同じであり、また同構成を同符号にて示す。図１５は本実施形態における引違い窓の両方の障子を閉じた状態の横断面図である。この図１５において引違い窓は第１実施形態の構成とほぼ同じ構成をなすが、増縁６は省略されている。そして枠体１内には、２つの網戸４Ｂ、４Ｃが配置されている。
網戸４Ｂ、４Ｃはそれぞれ、第２実施形態と同様、第１実施形態に比べてほぼ半分の幅の網部７０Ｂと、ほぼ半分の径の収納ケース４０Ｅ、４０Ｆを備える。そして収納ケース４０Ｅ、４０Ｆは枠体１内に並設されており、障子２、３と同じ走行部を走行可能とされている。すなわち収納ケース４０Ｅ、４０Ｆの図示しない上下のキャップには障子２、３の走行レールに対応した溝が形成され、障子２、３の見付方向側方において該走行レール上を走行可能とされている。なお図示は省略するが、本実施形態のように収納ケース４０Ｅ、４０Ｆを障子２、３と同じ走行レールを走行させる場合、収納ケース４０Ｅ、４０Ｆに障子２、３が当接して収納ケース４０Ｅ、４０Ｆが破損等することを防ぐため、収納ケース４０Ｅ、４０Ｆの上下キャップに戸当り部材を設けてもよい。
【００３８】
そして例えば障子２のみを開いた状態においては、網戸４Ｂの収納ケース４０Ｅ、４０Ｆは互いに隣接した状態で枠体１の縦枠１３の見付方向側方位置に配置され、網戸４Ｃの収納ケース４０Ｅは障子３の縦框３４の見付方向側方位置に配置され、また、網戸４Ｃの収納ケース４０Ｆは縦枠１４の見付方向側方位置に配置される。
本実施形態においては上述のように収納ケース４０Ｅ、４０Ｆが障子２、３と同じ走行レールを走行するので、増縁６を省略でき、見込方向における奥行きを低減することができると共に、製造コストを低減することができる。
【００３９】
次に本発明の第４実施形態について説明する。但し特に説明なき構成は第１実施形態の構成と同じであり、また同構成を同符号にて示す。図１６、１７は本実施形態における窓サッシたる出窓及び網戸を概念的に示す平面図であり、図１６は網部を完全に引出した状態、図１７は網部を一部のみ引出した状態を示す。
これら図１６、１７において出窓は、２つの枠体１Ａ、１Ｂを図１６、１７紙面内において方立９を中心として直交するように隣接配置して構成されている。そして各枠体１Ａ、１Ｂの屋内側には増縁６Ａ、６Ｂが設けられており、該増縁６Ａ、６Ｂ内に一つの網戸４Ｄが配置されている。
【００４０】
この網戸４Ｄの一対の収納ケース４０Ｇ、４０Ｈのうち、一方の収納ケース４０Ｇは増縁６Ａ内に走行自在に取り付けられており、また他方の収納ケース４０Ｈは増縁６Ｂ内に走行自在に取り付けられている。
ここで方立９の屋内側には、該方立９に対し見込方向に重合配置された案内軸１０が設けられている。この案内軸１０は垂直方向に沿って、回転自在に配置されている。そして収納ケース４０Ｇから案内軸１０を経て収納ケース４０Ｈに至り、網部７０Ｃが連続的に張設されている。したがって収納ケース４０Ｇ、４０Ｈを移動させて網部７０を引出し又は巻取り収納する場合、網部７０Ｃの引出し方向又は巻取り方向を案内軸１０によって９０度変えることができ、網部７０Ｃを収納ケース４０Ｇ、４０Ｈのいずれからもスムーズに引出ことができると共に、いずれによってもスムーズに巻取ることができる。
なお枠体の数は任意の複数であってよく、また枠体相互の隣接角度は、９０度以外にも任意の角度であってよい。
【００４１】
そして図１６に示すように、収納ケース４０Ｇを増縁６Ａの縦枠６ａに対し見付方向側方位置、収納ケース４０Ｈを増縁６Ｂの縦枠６ｂに対し見付方向側方位置に配置した状態において、網部７０は枠体１Ａ、１Ｂの両枠内開口を完全に塞ぐことのできる広幅に形成されている。すなわち枠体１Ａの幅をＷ２、枠体１Ｂの幅をＷ３とすれば（Ｗ２＜Ｗ３とする）、網部７０はＷ２＋Ｗ３の幅以上に形成されている。
そして各収納ケース４０Ｇ、４０Ｈはそれぞれ（Ｗ２＋Ｗ３）／２の幅だけ網部７０を巻取ることが可能な径にて形成されており、意匠上の均衡等が図られている。
したがって図１７に示すように、枠体１Ａの枠内開口のみを塞ぎたい場合には、収納ケース４０Ｇ、４０ＨそれぞれにＷ３／２の幅の網部７０を収納してもよく、あるいは収納ケース４０Ｈに（Ｗ２＋Ｗ３）／２の幅だけ網部７０を収納し、残りの幅の網部７０を収納ケース４０Ｇに収納してもよい。すなわち各収納ケース４０Ｇ、４０Ｈそれぞれには、その巻取り能力以内であれば、任意の割合で網部７０を収納することができる。
このように本実施形態においては、案内軸１０を介して網部７０の引出し・巻取り方向を変えることができ、出窓にも本網戸を容易に適用できる。
【００４２】
なお第１〜第４実施形態に示した窓サッシのみならず、本発明に係るスクリーン装置は、内開き窓やその他の既存の窓の屋外側、あるいは外開き窓、縦辷り出し窓、横辷り出し窓、突き出し窓、嵌殺し窓、各種ドアの室内側に、増縁を一体又は別体に設けることによって取付けてもよい。すなわちあらゆるタイプの窓、ドアに対し、既存の枠を利用して又は専用の枠を設けて、窓枠やドア枠と一体に、あるいは窓枠と所定間隔を隔てて、窓開口やドア開口を塞ぐ位置に取付けることができる。
【００４３】
【発明の効果】
上記したように請求項１に記載の本発明は、広幅のスクリーン部と、該スクリーン部の両側に設けられる縦長筒状の一対の収納ケースと、該一対の収納ケースの各々に設けられスクリーン部を各収納ケース内に引出し自在に付勢巻取りする巻取り部とを備え、各収納ケースは、枠体に対して見付方向に摺動自在に連係されると共に、該見付方向における任意の位置で枠体又は障子に固定自在とされ、スクリーン部は、各収納ケースの摺動に伴って該各収納ケースに設けた開口部から該各収納ケース外へ引出し自在とされたことにより、１つの収納ケースにて網部を収納する場合に比べ、同じ幅の網部であれば収納ケースの径を細幅に大幅に減らすことができ、あるいは同じ径の収納ケースであれば広幅の網部を収納することができる。したがって収納ケースを極力細径化することができ、視野を狭めることなく意匠上の体裁を一層向上させることができる。
【００４４】
また、枠体は屋外側又は屋内側の端部から見込方向に突出する増縁を備え、収納ケースは上下端面において増縁に対し摺動自在に連係されるので、既存の窓サッシに対しても増縁を設けることで容易に本網戸を取付けることができる。さらに、収納ケースは増縁内に納められるので、網戸が枠体から突出せず、収納ケースを納まりよくし、意匠上の体裁をさらに向上させることができる。そして、収納ケースは障子の縦框より細幅に形成されることにより、枠体の縦枠のいずれかの側方又は障子の縦框に対する見込方向重合位置に配置することができるので、収納ケースを目立たせることなく配置できて意匠性が向上し、また収納ケースと縦枠又は縦框との隙間を塞いで防虫性を高めることができる。
【００４５】
しかも請求項２に記載の本発明は、収納ケースの上下端面には走行部に連係される溝部と、増縁の上下枠にそれぞれ弾性的に当接する規制部とを形成してなることにより、規制部は上下枠に常時当接されるので、収納ケースが不用意に上下に振れることを防止することができ、また外方に脱落することを防止することができる。
【００４６】
さらに請求項３に記載の本発明は、窓サッシは、複数の枠体を方立を介して所定角度で隣接配置してなる出窓として構成され、一対の収納ケースは、互いに異なる枠体に対して見込方向重合位置に配置され、方立の見込方向重合位置には、該方立の左右両方向へ網部を移動自在とする案内軸を設け、該案内軸を介して網部を一対の収納ケースに収納自在としたことにより、案内軸を介して網部の引出し・巻取り方向を変えることができ、出窓にも本網戸を容易に適用することができる。
【００４７】
さらにまた請求項４に記載の本発明は、一対の収納ケースの各々は、スクリーン部を半分のみ収納自在な径に形成されることにより、左右の収納ケースを互いに同じ径に形成できて意匠上の均衡を図ることができると共に、各収納ケースを最も細径に形成できて広い視野を確保することができる。
【図面の簡単な説明】
【図１】本発明の第１実施形態における引違い窓の縦断面図であり、図３のＢ−Ｂ矢視断面図である。
【図２】引違い窓の両方の障子を閉じた状態における横断面図である。
【図３】引違い窓の一方の障子を開いた状態における横断面図であり図１のＡ−Ａ矢視断面図である。
【図４】図２の引違い窓の正面図である。
【図５】図３の引違い窓の正面図である。
【図６】（ａ）〜（ｃ）は順に窓サッシ用網戸の平面図、正面図、左側面図である。
【図７】窓サッシ用網戸の要部の分解図である。
【図８】上キャップの斜視図である。
【図９】下キャップの斜視図である。
【図１０】収納ケースを中心とした図３の要部拡大図である。
【図１１】（ａ）は巻取り部の拡大図、（ｂ）は巻取り部の分解図である。
【図１２】支持軸の横断面図である。
【図１３】巻取り部を収納した収納ケースの平面図を示す。
【図１４】第２実施形態における引違い窓の横断面図である。
【図１５】第３実施形態における引違い窓の横断面図である。
【図１６】第４実施形態における出窓及び網戸を概念的に示す平面図であり、網部を完全に引出した状態を示す。
【図１７】第４実施形態における出窓及び網戸を概念的に示す平面図であり、網部を一部のみ引出した状態を示す。
【符号の説明】
１  枠体
２、３  障子
４、５  窓サッシ用網戸
６  増縁
９  方立
１０  案内軸
１１  上枠
１２  下枠
１３  （左の）縦枠
１４  （右の）縦枠
１５、１６  レール
１８  ファスナー部
２１、３１  上框
２２、３２  下框
２３、３３  （左の）縦框
２４、３４  （右の）縦框
２５、３５  ガラス板
４０  収納ケース
４１  第１分割部
４２  第２分割部
４５  開口部
４６  取手
５０  上キャップ
６０  下キャップ
７０  網部
７２  支持軸
８０  巻取り部
８１  巻きバネ
８２  心棒
８３  軸側固定具
８４  ケース側固定具
【図１】
0003542912.tif 000002
【図２】
0003542912.tif 000003
【図３】
0003542912.tif 000004
【図４】
0003542912.tif 000005
【図５】
0003542912.tif 000006
【図６】
0003542912.tif 000007
【図７】
0003542912.tif 000008
【図８】
0003542912.tif 000009
【図９】
0003542912.tif 000010
【図１０】
0003542912.tif 000011
【図１１】
0003542912.tif 000012
【図１２】
0003542912.tif 000013
【図１３】
0003542912.tif 000014
【図１４】
0003542912.tif 000015
【図１５】
0003542912.tif 000016
【図１６】
0003542912.tif 000017
【図１７】
0003542912.tif 000018